【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
１つまたは複数のアンテナと、
少なくとも１つのキャリアボードと、
前記少なくとも１つのキャリアボード上に配設され、前記１つまたは複数のアンテナに結合された少なくとも１つの無線周波数（ＲＦ）モジュールと、
マザーボードと、
前記マザーボード上に配設されたベースバンドモジュールと、
前記少なくとも１つのキャリアボードと前記マザーボードとの間に結合されたフレキシブルプリント基板（ＰＣＢ）と
を備え、前記１つまたは複数のアンテナは、前記フレキシブルＰＣＢ上に配設されている、
装置。
【請求項２】
前記少なくとも１つのＲＦモジュールは、第１のＲＦモジュールおよび第２のＲＦモジュールを備え、前記装置は、
前記第１のＲＦモジュールと前記第２のＲＦモジュールとの間に結合された別のフレキシブルＰＣＢ
をさらに備え、前記１つまたは複数のアンテナのうちの少なくとも１つは、前記別のフレキシブルＰＣＢ上に配設されている、請求項１に記載の装置。
【請求項３】
前記１つまたは複数のアンテナのうちの少なくとも１つは、前記フレキシブルＰＣＢ上にプリントされ、前記フレキシブルＰＣＢ上にプリントされた前記１つまたは複数のアンテナのうちの前記少なくとも１つは、ダイポールアンテナまたはパッチアンテナのうちの少なくとも１つを備える、請求項１に記載の装置。
【請求項４】
前記１つまたは複数のアンテナのうちの少なくとも１つは、前記フレキシブルＰＣＢの局部的な剛性部上にプリントされる、請求項１に記載の装置。
【請求項５】
前記１つまたは複数のアンテナのうちの少なくとも１つは、前記フレキシブルＰＣＢ上に半田付けされ、前記フレキシブルＰＣＢ上に半田付けされた前記１つまたは複数のアンテナのうちの前記少なくとも１つは、表面実装技術（ＳＭＴ）構成要素のフォームファクタである、請求項１に記載の装置。
【請求項６】
前記少なくとも１つのＲＦモジュールは、前記１つまたは複数のアンテナを介して受信されたＲＦ信号を処理し、第１の中間周波数（ＩＦ）信号を生成するように構成され、
前記ベースバンドモジュールは、前記第１のＩＦ信号を処理し、少なくとも第１の局部発振器（ＬＯ）信号および第１の制御信号を生成するように構成され、
前記フレキシブルＰＣＢは、前記ＲＦモジュールから前記ベースバンドモジュールに少なくとも前記第１のＩＦ信号を供給するように構成され、前記ベースバンドモジュールから前記ＲＦモジュールに少なくとも前記第１のＬＯ信号および前記第１の制御信号を供給するように構成された少なくとも１つの第１の伝送線を備える、
請求項１に記載の装置。
【請求項７】
前記ベースバンドモジュールは、第２のＩＦ信号を生成するように構成され、
前記少なくとも１つのＲＦモジュールは、前記フレキシブルＰＣＢを介して前記第２のＩＦ信号を受け取り、送信用の別のＲＦ信号を生成するために前記第２のＩＦ信号を処理するように構成される、
請求項６に記載の装置。
【請求項８】
前記ＲＦ信号は、６０ＧＨｚ周波数帯域の周波数成分を有する、請求項６に記載の装置。
【請求項９】
前記少なくとも１つのＲＦモジュールは、第１のＲＦモジュールおよび第２のＲＦモジュールを備え、
前記第１の伝送線は、前記第１のＲＦモジュールから前記ベースバンドモジュールに前記第１のＩＦ信号を供給するように構成され、
前記フレキシブルＰＣＢは、前記第２のＲＦモジュールから前記ベースバンドモジュールに少なくとも第２のＩＦ信号を供給するように構成され、前記ベースバンドモジュールから前記第２のＲＦモジュールに少なくとも第２のＬＯ信号および第２の制御信号を供給するように構成された少なくとも１つの第２の伝送線を備える、
請求項６に記載の装置。
【請求項１０】
前記第１のＲＦモジュールおよび前記第２のＲＦモジュールは、単一のＰＣＢ上に位置している、請求項９に記載の装置。
【請求項１１】
前記第１のＲＦモジュールは、第１のＰＣＢ上に位置しており、前記第２のＲＦモジュールは、第２のＰＣＢ上に位置しており、前記第１のＰＣＢおよび前記第２のＰＣＢは、前記第１のＰＣＢから前記第２のＲＦモジュールに前記少なくとも前記第２のＬＯ信号および前記第２の制御信号を供給するように構成された少なくとも１つの第３の伝送線を有する別のフレキシブルＰＣＢによって接続されている、
請求項９に記載の装置。
【請求項１２】
前記フレキシブルＰＣＢは、前記ＲＦモジュールに電力信号を供給するように構成された少なくとも１つの伝送線を備える、請求項１に記載の装置。
【請求項１３】
前記フレキシブルＰＣＢは、前記ベースバンドモジュールから前記ＲＦモジュールに１つまたは複数のセンサ信号を供給するように構成された１つまたは複数の伝送線を備える、請求項１に記載の装置。
【請求項１４】
前記装置は、ラップトップコンピュータ、タブレットコンピュータ、またはモバイル電話を備える、請求項１に記載の装置。
【請求項１５】
ワイヤレス通信のための方法であって、
ベースバンドモジュールにおいて、１つまたは複数の信号を生成することと、
フレキシブルプリント基板（ＰＣＢ）を介して、無線周波数（ＲＦ）モジュールに前記１つまたは複数の信号を供給することと、
前記ＲＦモジュールにおいて、前記１つまたは複数の信号に基づいて、１つまたは複数のアンテナを介した送信用のＲＦ信号を生成することと、前記１つまたは複数のアンテナは、前記フレキシブルＰＣＢ上に配設されており、
ベースバンドモジュールにおいて、１つまたは複数の信号を生成することと、
前記フレキシブルプリント基板（ＰＣＢ）を介して別のＲＦモジュールに前記他の信号を供給することと、
前記フレキシブルＰＣＢおよび別のフレキシブルＰＣＢを介して前記別のＲＦモジュールに前記他の信号を供給することと、
前記別のＲＦモジュールにおいて、前記別のフレキシブルＰＣＢ上に配設された１つまたは複数の別のアンテナを介した送信用の別のＲＦ信号を生成することと、ここにおいて、前記ＲＦモジュールと前記別のＲＦモジュールとは、別個の基板上にある、
を備える、方法。
【手続補正２】
【補正対象書類名】明細書
【補正対象項目名】００６０
【補正方法】変更
【補正の内容】
【００６０】
[0070]  先の説明は、ここで説明された様々な態様の当業者による実施を可能にするために提供される。これら態様への様々な修正は、当業者に容易に明らかとなり、ここで定義された包括的な原理は、他の態様に適用され得る。ゆえに、特許請求の範囲は、ここに示された態様に限定されことを意図されるものでなく、特許請求の範囲の文言と合致する全範囲が与えられるべきであり、ここで、単数形の要素への参照は、別途明記されていない限り、「１つおよび１つのみ」を意味することを意図されるのでなく、「１つまたは複数」を意味することを意図される。別途明記されていない限り、「何らかの／いくつかの」という用語は、１つまたは複数を指す。当業者に知られているまたは後に知られることとなる、本開示全体にわたって説明された様々な態様の要素と構造的および機能的に同等なものは全て、参照によってここに明確に組み込まれ、特許請求の範囲によって包含されることを意図される。さらに、ここで開示されたものはいずれも、そのような開示が特許請求の範囲に明確に記載されているかどうかにかかわらず、公衆に捧げられることを意図されない。特許請求の範囲の要素はいずれも、その要素が「〜のための手段」という表現を使用して明確に記載されていない限り、ミーンズプラスファンクションとして解釈されるべきでない。
以下に本願の出願当初の特許請求の範囲に記載された発明を付記する。
［Ｃ１］  ワイヤレス通信のための装置であって、
１つまたは複数のアンテナと、
前記１つまたは複数のアンテナに結合された少なくとも１つの無線周波数（ＲＦ）モジュールと、
ベースバンドモジュールと、
前記ＲＦモジュールと前記ベースバンドモジュールとの間に結合されたフレキシブルプリント基板（ＰＣＢ）と
を備え、前記１つまたは複数のアンテナは、前記フレキシブルＰＣＢ上に配設されている、
装置。
［Ｃ２］  前記少なくとも１つのＲＦモジュールは、第１のＲＦモジュールおよび第２のＲＦモジュールを備え、前記装置は、
前記第１のＲＦモジュールと前記第２のＲＦモジュールとの間に結合された別のフレキシブルＰＣＢ
をさらに備え、前記１つまたは複数のアンテナのうちの少なくとも１つは、前記別のフレキシブルＰＣＢ上に配設されている、Ｃ１に記載の装置。
［Ｃ３］  前記１つまたは複数のアンテナのうちの少なくとも１つは、前記フレキシブルＰＣＢ上にプリントされる、Ｃ１に記載の装置。
［Ｃ４］  前記フレキシブルＰＣＢ上にプリントされた前記１つまたは複数のアンテナのうちの前記少なくとも１つは、ダイポールアンテナまたはパッチアンテナのうちの少なくとも１つを備える、Ｃ３に記載の装置。
［Ｃ５］  前記１つまたは複数のアンテナのうちの少なくとも１つは、前記フレキシブルＰＣＢの剛性部上にプリントされる、Ｃ１に記載の装置。
［Ｃ６］  前記１つまたは複数のアンテナのうちの少なくとも１つは、前記フレキシブルＰＣＢ上に半田付けされる、Ｃ１に記載の装置。
［Ｃ７］  前記フレキシブルＰＣＢ上に半田付けされた前記１つまたは複数のアンテナのうちの前記少なくとも１つは、表面実装技術（ＳＭＴ）構成要素のフォームファクタである、Ｃ６に記載の装置。
［Ｃ８］  前記少なくとも１つのＲＦモジュールは、前記１つまたは複数のアンテナを介して受信されたＲＦ信号を処理し、第１の中間周波数（ＩＦ）信号を生成するように構成される、
前記ベースバンドモジュールは、前記第１のＩＦ信号を処理し、少なくとも第１の局部発振器（ＬＯ）信号および第１の制御信号を生成するように構成される、
前記フレキシブルＰＣＢは、前記ＲＦモジュールから前記ベースバンドモジュールに少なくとも前記第１のＩＦ信号を供給するように構成され、前記ベースバンドモジュールから前記ＲＦモジュールに少なくとも前記第１のＬＯ信号および前記第１の制御信号を供給するように構成された少なくとも１つの第１の伝送線を備える、
Ｃ１に記載の装置。
［Ｃ９］  前記ベースバンドモジュールは、第２のＩＦ信号を生成するように構成され、
前記少なくとも１つのＲＦモジュールは、前記フレキシブルＰＣＢを介して第２のＩＦ信号を受け取り、送信用の別のＲＦ信号を生成するために前記第２のＩＦ信号を処理するように構成される、
Ｃ８に記載の装置。
［Ｃ１０］  前記ＲＦ信号は、６０ＧＨｚ周波数帯域の周波数成分を有する、Ｃ８に記載の装置。
［Ｃ１１］  前記少なくとも１つのＲＦモジュールは、第１のＲＦモジュールおよび第２のＲＦモジュールを備え、
前記第１の伝送線は、前記第１のＲＦモジュールから前記ベースバンドモジュールに前記第１のＩＦ信号を供給するように構成され、
前記フレキシブルＰＣＢは、前記第２のＲＦモジュールから前記ベースバンドモジュールに少なくとも第２のＩＦ信号を供給するように構成され、前記ベースバンドモジュールから前記第２のＲＦモジュールに少なくとも第２のＬＯ信号および第２の制御信号を供給するように構成された少なくとも１つの第２の伝送線を備える、
Ｃ８に記載の装置。
［Ｃ１２］  前記第１のＲＦモジュールおよび前記第２のＲＦモジュールは、単一のＰＣＢ上に位置している、Ｃ１１に記載の装置。
［Ｃ１３］  前記第１のＲＦモジュールは、第１のＰＣＢ上に位置しており、前記第２のＲＦモジュールは、第２のＰＣＢ上に位置しており、前記第１のＰＣＢおよび前記第２のＰＣＢは、前記第１のＰＣＢから前記第２のＲＦモジュールに前記少なくとも前記第２のＬＯ信号および前記第２の制御信号を供給するように構成された少なくとも１つの第３の伝送線を有する別のフレキシブルＰＣＢによって接続されている、
Ｃ１１に記載の装置。
［Ｃ１４］  前記ＲＦモジュールは、単一のＲＦ集積回路（ＲＦＩＣ）として製造される、Ｃ１に記載の装置。
［Ｃ１５］  前記フレキシブルＰＣＢは、前記ＲＦモジュールに電力信号を供給するように構成された少なくとも１つの伝送線を備える、Ｃ１に記載の装置。
［Ｃ１６］  前記フレキシブルＰＣＢは、前記ベースバンドモジュールから前記ＲＦモジュールに１つまたは複数のセンサ信号を供給するように構成された１つまたは複数の伝送線を備える、Ｃ１に記載の装置。
［Ｃ１７］  前記装置は、ラップトップコンピュータ、タブレットコンピュータ、またはモバイル電話を備える、Ｃ１に記載の装置。
［Ｃ１８］  ワイヤレス通信のための装置であって、  
１つまたは複数のアンテナと、
ベースバンドモジュールと、
前記ベースバンドモジュールに結合されたフレキシブルプリント基板（ＰＣＢ）と
を備え、前記１つまたは複数のアンテナは、前記フレキシブルＰＣＢ上に配設されている、
装置。
［Ｃ１９］  前記ベースバンドモジュールは、中間周波数（ＩＦ）信号、局部発振器（ＬＯ）信号、または制御信号のうちの少なくとも１つに基づいて、多重化された信号を生成するように構成され、
前記フレキシブルＰＣＢは、無線周波数（ＲＦ）モジュールに前記多重化された信号を供給するように構成された少なくとも１つの第１の伝送線を備え、
前記１つまたは複数のアンテナは、前記多重化された信号を使用して生成されたＲＦ信号を送信するように構成される、
Ｃ１８に記載の装置。
［Ｃ２０］  前記１つまたは複数のアンテナのうちの少なくとも１つは、前記フレキシブルＰＣＢ上にプリントされる、Ｃ１８に記載の装置。
［Ｃ２１］  前記１つまたは複数のアンテナのうちの少なくとも１つは、ダイポールアンテナまたはパッチアンテナのうちの少なくとも１つを備える、Ｃ１８に記載の装置。
［Ｃ２２］  前記１つまたは複数のアンテナのうちの少なくとも１つは、前記フレキシブルＰＣＢ上に半田付けされ、表面実装技術（ＳＭＴ）構成要素のフォームファクタである、Ｃ１８に記載の装置。
［Ｃ２３］  前記フレキシブルＰＣＢは、無線周波数（ＲＦ）モジュールに電力信号を供給するように構成される、Ｃ１８に記載の装置。
［Ｃ２４］  ワイヤレス通信のための装置であって、
１つまたは複数のアンテナと、
前記１つまたは複数のアンテナに結合された少なくとも１つの無線周波数（ＲＦ）モジュールと、
前記ＲＦモジュールに結合されたフレキシブルプリント基板（ＰＣＢ）と
を備え、前記１つまたは複数のアンテナは、前記フレキシブルＰＣＢ上に配設されている、
装置。
［Ｃ２５］  前記少なくとも１つのＲＦモジュールは、第１のＲＦモジュールおよび第２のＲＦモジュールを備え、前記装置は、
前記第１のＲＦモジュールと前記第２のＲＦモジュールとの間に結合された別のフレキシブルＰＣＢ
をさらに備え、ここにおいて、前記１つまたは複数のアンテナのうちの少なくとも１つは、前記別のフレキシブルＰＣＢ上に配設されている、Ｃ２４に記載の装置。
［Ｃ２６］  前記少なくとも１つのＲＦモジュールは、第１の中間周波数（ＩＦ）信号、第１の局部発振器（ＬＯ）信号、または第１の制御信号のうちの少なくとも１つに基づいて、多重化された信号を受信するように構成され、
前記フレキシブルＰＣＢは、前記少なくとも１つのＲＦモジュールに前記多重化された信号を供給するように構成された少なくとも１つの第１の伝送線を備える、
Ｃ２４に記載の装置。
［Ｃ２７］  前記少なくとも１つのＲＦモジュールは、第１のＲＦモジュールおよび第２のＲＦモジュールを備え、
前記第１の伝送線は、前記第１のＲＦモジュールに前記多重化された信号を供給するように構成され、
前記フレキシブルＰＣＢは、前記第２のＲＦモジュールに第２の多重化された信号を供給するように構成された少なくとも１つの第２の伝送線を備え、前記第２の多重化された信号は、第２のＩＦ信号、第２のＬＯ信号、または第２の制御信号のうちの少なくとも１つに基づいて生成される、
Ｃ２６に記載の装置。
［Ｃ２８］  ワイヤレス通信のための方法であって、
ベースバンドモジュールにおいて、１つまたは複数の信号を生成することと、
フレキシブルプリント基板（ＰＣＢ）を介して、無線周波数（ＲＦ）モジュールに前記１つまたは複数の信号を供給することと、
前記ＲＦモジュールにおいて、前記１つまたは複数の信号に基づいて、１つまたは複数のアンテナを介した送信用のＲＦ信号を生成することと
を備え、前記１つまたは複数のアンテナは、前記フレキシブルＰＣＢ上に配設されている、
方法。
［Ｃ２９］  前記ベースバンドモジュールにおいて、１つまたは複数の他の信号を生成することと、
前記フレキシブルプリント基板（ＰＣＢ）を介して別のＲＦモジュールに前記他の信号を供給することと
をさらに備える、Ｃ２８に記載の方法。
［Ｃ３０］  前記フレキシブルＰＣＢおよび別のフレキシブルＰＣＢを介して前記別のＲＦモジュールに前記他の信号を供給することと、
前記別のＲＦモジュールにおいて、前記別のフレキシブルＰＣＢ上に配設された１つまたは複数の別のアンテナを介した送信用の別のＲＦ信号を生成することと
をさらに備え、前記ＲＦモジュールと前記別のＲＦモジュールとは、別個の基板上にある、Ｃ２９に記載の方法。